(57)【特許請求の範囲】
【請求項１】
ソケットに取り外し可能に配置されたイオン化管と、前記ソケットを備えた支持体とを有する空気イオン化モジュールであって、
前記支持体（１）は、互いに間隔を置いて配置された２つのプレート（４，５）を有しており、第１のプレート（４）は取り付け板（４）であり、第２のプレート（５）は前記ソケットを備えたプリント基板（５）であって、前記２つのプレート（４，５）の間には、断熱材料から成る部材（６）が配置されており、これにより前記第２のプレート（５）は前記第１のプレート（４）に対して断熱されて配置されていることを特徴とする、空気イオン化モジュール。
【請求項２】
前記断熱材料から成る部材（６）は、前記２つのプレート（４，５）と、この部材（６）を取り囲む、少なくとも所定の領域で断熱材料から成る壁（７）との間に配置されている、請求項１記載の空気イオン化モジュール。
【請求項３】
前記プレート（４，５）は係止機構を介して互いに接続されている、請求項１記載の空気イオン化モジュール。
【請求項４】
前記取り付け板（４）は前記プリント基板（５）よりも大きい、請求項１記載の空気イオン化モジュール。
【請求項５】
前記ソケットは、前記断熱材料から成る部材（６）内に配置されており、これにより前記ソケットは、前記プリント基板（５）の外側に面した表面と同一平面にある、請求項１記載の空気イオン化モジュール。
【請求項６】
前記ソケットは、前記プリント基板（５）の導体路に電気的に接続されていて、ひいては同時に固定されており、前記イオン化管（２）の陽極は、前記プリント基板（５）のソケットと導体路とを介して互いに接続されており、少なくとも１つの陰極を分離可能に接続するための電気的な接続エレメントの少なくとも１つの構成部材が、前記プリント基板（５）の少なくとも１つの導体路に導電接続されていて、ひいては同時に固定されており、イオン化管（２）の互いに接続された前記陽極と陰極とは、イオン化管（２）の１つのグループを成す、請求項１又は５記載の空気イオン化モジュール。
【請求項７】
１つのグループの前記イオン化管（２）の陽極は、変圧器（８）の二次コイルに接続されており、前記変圧器（８）の一次コイルはスイッチ（９）を介して電気的な低電圧網（１０）に接続可能であって、前記イオン化管（２）の陰極はアース接続されている、請求項１又は６記載の空気イオン化モジュール。
【請求項８】
機械的に作用するスイッチ（９）の操作装置、又は電気的に制御可能なスイッチ（９）の制御電極が、データ処理システムに接続されていて、これにより、前記データ処理システムによって、前記イオン化管（２）の自動的なかつ／又は規定された運転が行われる、請求項７記載の空気イオン化モジュール。
【請求項９】
イオン化管（２）の複数のグループ用の複数の変圧器（８）は１つのハウジング（３）内に配置されており、前記ハウジング（３）は前記取り付け板（４）に取り付けられており、これにより前記イオン化管（２）と、前記支持体（１）と、前記ハウジング（３）とは１つのコンパクトな空気イオン化モジュールとなる、請求項１又は６又は７記載の空気イオン化モジュール。
【請求項１０】
前記取り付け板（４）と前記プリント基板（５）との間に位置する前記断熱材料から成る部材（６）は、発泡性のプラスチックから成っている、請求項１記載の空気イオン化モジュール。
【請求項１１】
４つのイオン化管（２）は、イオン化管（２）の１つのグループであって、前記イオン化管（２）は、直角を有さない平行四辺形の角部に配置されている、請求項１又は６記載の空気イオン化モジュール。
【発明の詳細な説明】
【技術分野】
【０００１】
本発明は、ソケットに取り外し可能に配置されたイオン化管と、これらのソケットを備えた支持体とを有する空気イオン化モジュールに関する。
【０００２】
イオン化装置により空間の空気を処理することができ、ひいては呼吸空気を処理することができることが公知である。このとき、細菌及びその他の病原菌は死滅し、高分子は小分子断片に分解される。複合された大きな分子はとりわけ臭い物質であるので、空気イオン化によって臭気を軽減することができる。さらに、空気中の微生物も効果的に減じることができる。
【０００３】
イオン化装置では、電圧ポテンシャルを有した２つの電極間にある電場を利用して、気中放電により衝突電離でイオンを発生させている。このために、内部電極と外部電極とを備えたガラス管の形の公知の形式のイオン化管が使用され、この場合、同軸的な構造が存在している。気中放電のために十分に高い電圧がかけられると、壁のガラスは、その内部に大きな電場が存在する誘電体を形成する。貫流空気にはイオンが添加される。この場合の欠点は、所定の電圧を超えるとオゾンが形成され、電圧が増大するとオゾン形成は高まるということである。
【０００４】
独国特許第４３３４９５６号明細書により、イオンによる空気処理法と、この方法を実施する装置が公知である。この場合、イオン化装置の長期安定性が高められている。主要な点は、高められたオゾン形成を回避することである。このためには、空気質センサ、空気流センサ、空気湿度センサの形のセンサが使用される。例えばスモッグ、逆転層、雷雨、外部のエネルギ場のような外的な障害要因、及び電気機器の運転による内的な障害要因が生じた場合、供給空気へのオゾンの負荷が、不都合なほど上昇してしまい、限界値を超過してしまう恐れがある。
【０００５】
独国特許第１０００７５２３号明細書には、イオンによる空気処理法と、この方法を実施する装置が記載されていて、この場合、付加的に、オゾン含量を検出するオゾンセンサが使用されている。
【０００６】
周囲の空気と例えば冷却された供給空気との間の温度差により生じる水分の凝結という問題については、この明細書では言及されていない。
【０００７】
請求項１に記載した本発明の根底を成す課題は、凝結水をほぼ生じさせることなく空気流にイオンを添加するコンパクトな空気イオン化モジュールを提供することである。
【０００８】
この課題は、請求項１の特徴部に記載の構成により解決される。
【０００９】
取り外し可能にソケットに配置されたイオン化管と、前記ソケットを備えた支持体とを有する空気イオン化モジュールは、特に、空気流にイオンを添加する際に凝結がほぼ生じないことを特徴とする。
【００１０】
このために支持体は、互いに間隔を置いて配置された２つのプレートを有しており、第１のプレートは取り付け板であり、第２のプレートはソケットを備えたプリント基板である。さらに、これらのプレートの間には、断熱材料から成る部材が配置されているので、第２のプレートは第１のプレートに対して断熱されて配置されている。
【００１１】
空気イオン化モジュールは、建物の少なくとも１つの内部空間のために、空気流中にイオンを発生させるために用いられる。イオン化された空気は例えば、臭気を発生させる多数の分子を分解し、微生物を死滅させ、気体の流動性の炭化水素を分解させ、空気の酸化ポテンシャルを減じる。これにより快適な自然に近い空気が、このイオンを供給された空間内で得られる。
【００１２】
この場合使用されるイオン化管は、コロナ放電によりイオンを発生させるために使用される。これは、イオン化管に加えられる高い交流電圧によって行われる。このために、公知のイオン化管は例えば陽極と、この陽極を取り囲む格子状の陰極とを有している。この場合、陰極は好適にはアース接続されている。
【００１３】
空気イオン化モジュールは、互いに断熱されて配置されている取り付け板とプリント基板とから成る支持体を有している。公知のように、プリント基板は電気絶縁体から成っていて、このプリント基板には導体路と、場合によっては導電材料から成る接触個所とが設けられている。断熱材料からなる部材は、これら両プレート間に位置している。これにより、両プレート間に好適には熱の橋絡は生じない。さらに、この材料は特に不燃性であっても良いので、くん焼火災を回避することができる。断熱材料からなる部材は好適にはプラスチック、特にポリイソシアヌレート（ＰＩＲ）又はポリウレタン（ＰＵ）から成っていて良い。空気イオン化モジュールは公知のように、空気供給通路の１つの構成部分である。この場合、支持体は同時に、空気供給通路の壁の構成部分であって良い。取り付け及び取り外しはずっと簡単になる。特にイオン化管のクリーニング作業及び保守整備作業は特に好適である。空気供給通路の壁における配置は特に省スペースである。さらには、少なくとも１つの空気イオン化モジュールが、空気供給通路又は空調設備自体に位置していて良い。さらには、少なくとも１つの空気イオン化モジュールが空気供給通路に位置していて良い。イオン化管は、通路空間、ひいては供給空気流内に突入している。比較的高い温度が生じる場合に冷却された空気が供給される場合、支持体で熱の橋絡が生じない空気イオン化モジュールを使用することにより、水の凝結は回避される。凝結水及び高電圧によって作動されるイオン化管により生じるリスクは回避される。これにより空気イオン化モジュールを、比較的高い空気温度においても、比較的空気湿度が高い場合でも確実に運転することができる。モジュールの耐用期間はこれにより高まる。
【００１４】
本発明の有利な構成は請求項２〜１１に記載されている。
【００１５】
断熱材料からなる部材は、請求項２に記載の別の構成によれば、プレートと、この部材を取り囲む、少なくとも所定の領域で断熱材料から成る壁との間に位置している。これによりプレートと壁とはコンパクトなユニットを形成する。この部材は様々な材料から成っていて良く、この部材は、弾性的な材料から成る部材であっても良い。
【００１６】
請求項３記載の別の構成によれば、前記プレートは係止機構を介して互いに接続されており、この場合、係止エレメントは孔に係合するようになっている。これにより容易な取り付け及び取り外しが可能である。
【００１７】
取り付け板は、請求項４記載の別の構成によれば、プリント基板よりも大きい。これにより、空気イオン化モジュールは、熱の橋絡を発生させることなく通路の壁に容易に組み込むことができる。これは、プリント基板と通路壁との間の互いに間隔を置いた配置により行うことができる。勿論、熱伝導性でない材料から成っている、プリント基板と通路壁との間の隙間を橋絡する部材を配置することもできる。
【００１８】
請求項５記載の別の構成によれば、ソケットは、断熱材料からなる部材内に配置されていて、これによりこれらのソケットは、プリント基板の外部に面した表面と同一平面に位置している。
【００１９】
請求項６記載の別の構成によれば、ソケットは、プリント基板の導体路に電気的に接続されていて、ひいては同時に固定されている。イオン化管の陽極は、プリント基板のソケットと導体路とを介して互いに接続されている。少なくとも１つの陰極の分離可能な接続のための電気的な接続エレメントの少なくとも１つの構成部材は、プリント基板の少なくとも１つの導体路に導電接続されていて、ひいては同時に固定されている。イオン化管の互いに接続された陽極と陰極とは、イオン化管の１つのグループである。
【００２０】
１つのグループのイオン化管の陽極は、請求項７記載の別の構成によれば、変圧器の二次コイルに接続されている。変圧器の一次コイルは、スイッチを介して、電気的な低電圧網に接続可能である。さらにはイオン化管の陰極はアース接続されている。
【００２１】
機械的に作用するスイッチの操作装置、又は電気的に制御可能なスイッチの制御電極は、請求項８記載の別の構成によれば、データ処理システムに接続されていて、これにより、データ処理システムによってイオン化管の自動的なかつ／又は規定された運転が行われる。
【００２２】
イオン化管の複数のグループ用の変圧器は、請求項９記載の別の構成によれば１つのハウジング内に配置されている。このハウジングはさらに、取り付け板に取り付けられていて、これによりイオン化管と、支持体と、ハウジングとは、１つのコンパクトな空気イオン化モジュールである。
【００２３】
取り付け板とプリント基板との間にある、断熱材料からなる部材は、請求項１０記載の別の構成によれば、発泡性のプラスチックから成っている。このプラスチックは簡単に、これらのプレート間の空間に挿入され、硬化の際に自動的に形成され、この際、空気で満たされた気泡も生じるので、両プレート間には良好な断熱性が存在する。同時に、存在している空間を簡単に完全に充填することができる。
【００２４】
好適には、請求項１１記載の別の構成によれば、４つのイオン化管が、イオン化管の１つのグループである。これらのイオン化管は、さらに好適には、直角を有さない平行四辺形の角部に配置されている。これによりイオン化管は互いにずらされて配置されているので、イオン化管を取り巻く良好な空気流が存在する。
【００２５】
本発明の実施態様を図面にそれぞれ原則的に示し、以下に詳しく説明する。
【図面の簡単な説明】
【００２６】
【図１】空気イオン化モジュールを示す側面図である。
【図２】空気イオン化モジュールを示す平面図である。
【図３】イオン化管と変圧器用のハウジングとを備えた支持体を示す図である。
【図４】イオン化管を含む回路を示す図である。
【００２７】
空気イオン化モジュールは主として、イオン化管２を備えた支持体１と、変圧器８用のハウジング３とから成っている。
【００２８】
これについて、
図１は、空気イオン化モジュールを原則的な側面図で示していて、
図２は、空気イオン化モジュールを原則的な平面図で示している。
【００２９】
支持体１は、互いに間隔を置いて配置された２つのプレート４，５を有しており、この場合、第１のプレート４は取り付け板４であり、第２のプレート５はプリント基板５である。プレート４，５の間には、断熱材料から成る部材６が配置されているので、第２のプレート５は第１のプレート４に対して断熱されて配置されている。取り付け板４はプリント基板５よりも大きく形成されている。実施態様では、取り付け板４及び／又はプリント基板５はＵ字形を有していても良い。断熱材料から成る部材６は発泡性のプラスチックから成っている。取り付け板４は金属板４であり、プリント基板５は公知のように、被着された導体路を備えた電気絶縁体から成るプレート５である。
【００３０】
図３は、イオン化管２を備えた支持体１と変圧器用のハウジング３とを原則的な図で示している。
【００３１】
断熱材料から成る部材６は、プレート４，５と、この部材６を取り囲む壁７との間に位置している。この壁７はこの場合、少なくとも所定の領域で、断熱材料、好適にはプラスチックから成っている。壁７は好適には同時に、係止機構を有しており、この係止機構は空所に係合する。
【００３２】
イオン化管２は取り外し可能にソケットに配置されている。
【００３３】
プリント基板５がソケットを有しており、イオン化管２の陽極は、プリント基板５のソケットと導体路とを介して互いに接続されている。同時に、イオン化管２の陰極用の接続エレメントは、プリント基板５の表面又は内面に配置されており、これによりイオン化管２の陰極は、接続エレメントと導体路とを介して互いに接続されている。このために、陰極はケーブルを介して接続エレメントに、ねじ結合により分離可能に接続されている。イオン化管２の互いに接続された陽極と陰極とは、イオン化管２の１つのグループを成すように互いに接続されている。このために、イオン化管２の１つのグループは例えば、直角を有さない平行四辺形の角部に配置された４つのイオン化管２から成っていて良い。
【００３４】
ソケットは、このソケットが、プリント基板５の外部に面した表面と同一平面となるように、プリント基板５に接続されている。
【００３５】
１つのグループのイオン化管２の陽極は、変圧器８の二次コイルに接続されている。変圧器８の一次コイルは、スイッチ９を介して、電気的な低電圧網１０に接続可能である。イオン化管２の陰極はアース接続されている。
【００３６】
図４は、イオン化管２を備えた回路を原則的な図で示している。
【００３７】
イオン化管２のグループ用の変圧器８は、ハウジング３内に位置していて、このハウジング３はさらに取り付け板４に取り付けられている。これによりイオン化管２、支持体１、変圧器８を有したハウジング３は、１つのコンパクトな空気イオン化モジュールとなる。
【００３８】
機械的に作用するスイッチ９の操作装置、又は電気的に制御可能なスイッチ９の制御電極は、データ処理システムに接続されていて、これにより、イオン化管２の自動的なかつ／又は規定された運転が行われる。
【図１】
0006373362.tif 000002
【図２】
0006373362.tif 000003
【図３】
0006373362.tif 000004
【図４】
0006373362.tif 000005